(57)【特許請求の範囲】
【請求項１】
パイプ材により形成され、そのブラケット装着面に、複数のブラケット装着用のスリットを列設し、これらのスリットの幾つかに、ブラケットにおける係合突片を突入させることにより、前記ブラケットを固定するようにした中空支柱の化粧部材であって、
前記各スリットの左右両側に位置してブラケット装着面を外側から隠す突出形状に形成された左右１対の長尺化粧片と、前記スリットの左右の縁に内接しつつ、スリットに突入するよう、前記ブラケットにおける係合突片の厚さに相当する間隙を設けて、前記各長尺化粧片における対向面の端辺に対をなして立設され、先端部を一体化された舌片状の弾性体からなる係合突入部とを備え、前記係合突入部を、前記スリットとそれに取り付けられるブラケットの係合突片との間に介装させて、中空支柱に取り付けるようにしたことを特徴とするブラケット装着用のスリットを有する中空支柱の化粧部材。
【請求項２】
係合突入部が、スリットごとに配備され、そのうちの幾つかの係合突入部の外側面には、該係合突入部が前記スリットに突入することを許容し、かつ、該係合突入部が前記スリットから引き抜かれることを阻止するような方向で楔状の突起を設けた、請求項１記載のブラケット装着用のスリットを有する中空支柱の化粧部材。
【請求項３】
長尺化粧片における対向面間に、外広がりの楔状の空間を形成してブラケットの係合突片の突入を案内するようにした、請求項１または２記載のブラケット装着用のスリットを有する中空支柱の化粧部材。
【請求項４】
係合突入部の厚さとブラケットの係合突片の厚さとの総和が、スリットの左右幅を僅かに上回るように、前記係合突入部の厚さを定めた、請求項１〜３のいずれかに記載のブラケット装着用のスリットを有する中空支柱の化粧部材。
【発明の詳細な説明】
【０００１】
【発明の属する技術分野】
本発明は、ブラケット装着用のスリットを有する中空支柱の化粧部材の改良に関する。
【０００２】
【従来の技術】
中空支柱に設けたスリットを利用し、棚や机用の天板等を支持するためのブラケット、または、それ自体が商品の吊り下げ具等として機能するブラケットを取付けるようにしたものは公知である。
この種の技術は、例えば、オフィス用のローパーティションを敷設するための支柱に棚を設置したり、商品陳列棚等のラックに高さ調整可能な棚を取付けるような場合に頻繁に利用されている。
【０００３】
図８は、ローパーティションを立設するための中空支柱(１)に、棚等を設置するための支持具を示す斜視図である。
図８において、中空支柱(１)は、角形断面を有するパイプ材よりなり、その左右両側方にローパーティション(３)(４)を支えるようになっている。
中空支柱(１)の前面、即ち、ブラケット装着面(1a)には、ブラケット(２)を取り付けるためのスリット(５)が、長手方向に沿って所定のピッチで多数穿設されている。
【０００４】
ブラケット(２)の後端には、ブラケット(２)を中空支柱(１)に取り付けるための下向Ｌ字形をなす係合突片(2a)(2a)が一体に設けられ、これらの係合突片(2a)(2a)を前記スリット(５)(５)に突入させて押し下げることにより、ブラケット(２)を取り付けうるようになっている。
なお、スリット(５)は等ピッチで穿設されており、ブラケット(２)の取付高さは１ピッチ刻みで調整可能である。
【０００５】
しかし、図８に示すような取付構造によると、未使用状態のスリット(５)が前方から見えるため、室内の美観が損われる。
図８の例では、このような問題を軽減するために、ローパーティション(３)(４)の厚さを、中空支柱(１)よりも厚めとし、ブラケット装着面(1a)が壁面から入り込むようにすることによって、未使用状態のブラケット装着用のスリット(５)を外部から見えにくくなるようにしている。
【０００６】
しかし、このようにすると、ローパーティション(３)(４)の厚さが必要以上に厚くなり、オフィス内の空間の有効利用が妨げられる。また、ローパーティション(３)(４)の製造コストも増大する。
【０００７】
また、係合突片(2a)をブラケット装着用スリット(５)へ突入させて係止してあるため、ブラケット(２)に作用する上下方向の荷重には強いが、左右方向の捻りに対しては弱く、ブラケット(２)が左右方向にガタついたり振動したりし易いという欠点もある。
【０００８】
図９は、ラックの一部をなす中空支柱(１)に棚を設置するためのブラケット(２)を取り付ける場合の従来構造を示す斜視図である。
中空支柱(１)へのブラケット(２)の取付構造は、図８で示した従来例と同様であるので、図９中に図８の説明で用いたものと同一の符号を付すにとどめ、その詳細な説明は省略する。
【０００９】
このラックには、前述のローパーティション(３)(４)の場合のような構造物は付随しない。
それに代えて、中空支柱(１)の左右両側に化粧部材(６)(７)を取り付けることにより、未使用状態のブラケット装着用のスリット(５)を見えにくくするようにしているが、やはり、図８に示した従来例の場合と同様、製造コストの増大やブラケット(２)の左右方向のガタつきが生じるおそれがある。
【００１０】
つまり、プレス加工された板金等を化粧部材(６)(７)として溶接した場合には、加工コストの増大や作業工程の煩雑化が生じ、また、化粧部材(６)(７)として剛性樹脂材料成形品等を用いた場合には、ブラケット(２)の左右方向のガタつきによって化粧部材(６)(７)自体が外れたり、ブラケット(２)のガタつき防止機能が達成されなくなったりしてしまう。
また、中空支柱(１)の左右両側に比較的大きな突出物を取り付けることになるので、中空支柱(１)が全体的に嵩張り、無駄なスペースをとることになる。
【００１１】
本発明は、上述の従来技術の問題点に鑑み、無駄なスペースや複雑な加工および組立工程を必要とせず、中空支柱に設けられたブラケット装着用のスリットを効果的に目立たなくすることができ、ブラケットの左右方向へのガタつきをも防止することのできる、中空支柱の化粧部材を提供することを目的としている。
【００１２】
【課題を解決するための手段】
本発明によると、上記課題は、次のようにして解決される。
(１) パイプ材により形成され、そのブラケット装着面に、複数のブラケット装着用のスリットを列設し、これらのスリットの幾つかに、ブラケットにおける係合突片を突入させることにより、前記ブラケットを固定するようにした中空支柱の化粧部材であって、前記各スリットの左右両側に位置してブラケット装着面を外側から隠す突出形状に形成された左右１対の長尺化粧片と、前記スリットの左右の縁に内接しつつ、スリットに突入するよう、前記ブラケットにおける係合突片の厚さに相当する間隙を設けて、前記各長尺化粧片における対向面の端辺に対をなして立設され、先端部を一体化された舌片状の弾性体からなる係合突入部とを備え、前記係合突入部を、前記スリットとそれに取り付けられるブラケットの係合突片との間に介装させて、中空支柱に取り付けるようにする。
【００１３】
(２) 上記(１)項において、係合突入部が、スリットごとに配備され、そのうちの幾つかの係合突入部の外側面には、該係合突入部が前記スリットに突入することを許容し、かつ、該係合突入部が前記スリットから引き抜かれることを阻止するような方向で楔状の突起を設ける。
【００１４】
(３) 上記(１)または(２)項において、長尺化粧片における対向面間に、外広がりの楔状の空間を形成してブラケットの係合突片の突入を案内するようにする。
【００１５】
(４) 上記(１)〜(３)項のいずれかにおいて、係合突入部の厚さとブラケットの係合突片の厚さとの総和が、スリットの左右幅を僅かに上回るように、前記係合突入部の厚さを定める。
【００１６】
【発明の実施の形態】
以下、図面を参照して、本発明の一実施形態について詳細に説明する。
図１は、本発明化粧部材の一実施例を適用したラック(Ａ)の斜視図である。
このラック(Ａ)では、キャスター(８)付きの脚(９)に、角パイプ材からなる中空支柱(１)を立設し、この中空支柱(１)の前面(1a)に列設したスリット(５)（図２参照）に、ブラケット(２)の係合突片(2a)を取り付け、このブラケット(２)上に棚板(10)を載置している。
【００１７】
図１では、ブラケット(２)を取り付けるスリット(５)は、本発明による化粧部材(11)により隠されていて見えない。
この化粧部材(11)は、正面図である図４、左側面図である図５、背面図である図６、平面図である図７に詳細に示されている。
【００１８】
これらの図に示すように、化粧部材(11)は、左右１対の、横断面形状が前方に凸のヘ字状の長尺化粧片(12)(13)と、各長尺化粧片(12)(13)の、へ字の一辺である対向面の端辺に対をなして立設された複数の舌片状の弾性体からなる係合突入部(14)(15)とからなっている。
【００１９】
図７に示すように、係合突入部(14)(15)間には、取り付け対象となるブラケット(２)(図２参照)の係合突片(2a)の厚さに相当する間隙(16)が形成されている。
また、係合突入部(14)(15)の先端部は、接続部(17)を介して一体化される一方、係合突入部(14)(15)の基部と一体の上記対向面間には、外広がりの楔状の空間(18)が形成されている。
【００２０】
係合突入部(14)(15)は、図２に示される中空支柱(１)におけるスリット(５)の列設ピッチに合わせて、長尺化粧片(12)(13)の長手方向に多数配備され、そのうちの幾つか（例えば図２、図５に示すように、４つおき）の外側面には、楔状の突起(19)(20)が設けられている。
突起(19)(20)は、図２及び図３に示すように、係合突入部(14)(15)がスリット(５)に突入することを許容し、かつ、係合突入部(14)(15)がスリット(５)から引き抜かれることを阻止するような方向で、楔状となっている。
【００２１】
係合突入部(14)(15)は弾性体によって形成されているので、図２に示すようにしてスリット(５)に突入させると、スリット(５)の左右両側縁と楔状の突起(19)(20)との間の摺接作用によって、係合突入部(14)(15)が相互に接近する方向に自動的に弾性変形して、突入が簡単に許容される。
【００２２】
楔状の突起(19)(20)がスリット(５)に完全に押し込まれると、係合突入部(14)(15)の変形が元の状態に弾性復帰し、図３に示すように、楔状の突起(19)(20)の立ち上り部分と長尺化粧片(12)(13)の裏面とによって、スリット(５)の周囲のブラケット装着面(1a)が表裏から挟まれるように４点支持されるようになる。
【００２３】
係合突入部(14)(15)の厚さは、この厚さとブラケット(２)の係合突片(2a)の厚さとの総和が、スリット(５)の左右幅を僅かに上回るように定められている。
このようにすることにより、係合突片(2a)の突入によって係合突入部(14)(15)を弾性変形させ、その反発力によって、係合突片(2a)、従ってブラケット(２)を強固に固定することができる。
【００２４】
図３及び図７に示すように、前述の外広がりの楔状の空間(18)は、係合突片(2a)のガイドとなり、係合突片(2a)を係合突入部(14)(15)間の間隙(16)に突入させるので、ブラケット(５)の取付作業は極めて円滑に行うことができる。
【００２５】
また、化粧部材(11)を構成する長尺化粧片(12)(13)は、スリット(５)の左右に位置して中空支柱(１)のブラケット装着面(1a)を飾ると共に、その厚さによって未使用状態のスリット(５)を隠蔽して外部から見えにくくし、室内の美観は保たれる。
【００２６】
以上、一実施形態として、化粧部材(11)を完全に一体に形成したものについて説明したが、係合突入部(14)(15)と楔状の突起(19)(20)および接続部(17)を、バネ鋼等で一体成形して合成樹脂製の長尺化粧片(12)(13)を取り付けたり、また、長尺化粧片(12)(13)を含む全ての部分を、バネ鋼等で一体として化粧部材(11)を構成することも可能である。
【００２７】
【発明の効果】
請求項１記載の発明によれば、化粧部材の係合突入部をブラケット装着用のスリットに突入させるだけの簡単な作業により、左右一対の長尺化粧片を中空支柱のブラケット装着面に取り付けて、未使用状態のスリットを目立たなくすることができる。しかも、弾性体からなる係合突入部をスリットとブラケットの係合突片との間に介装させるかたちで中空支柱に対するブラケットの取付作業が行われるため、スリットとブラケットの係合突片との間の遊びがなくなり、ブラケットの左右方向へのガタつきが効果的に抑制される。
ブラケット装着用のスリットを目立たなくするための長尺化粧片は、スリットを左右から挟むようにしてブラケット装着面にのみ取り付けられるので、側方へ突出して嵩張ることがない。
【００２８】
請求項２記載の発明のように、係合突入部の外側面に楔状の突起を設けると、化粧部材の不用意な緩みや外れを効果的に防止することができる。
【００２９】
請求項３記載の発明のように、長尺化粧片における対向面間に、外広がりの楔状の空間を形成すると、ブラケットの係合突片の差し込み作業を円滑に行うことができ、しかも、ブラケットの左右方向へのガタつき防止に一層の効果を発揮することができる。
【００３０】
請求項４記載の発明のように、係合突入部の厚さとブラケットの係合突片の厚さとの総和が、スリットの左右幅を僅かに上回るように、前記係合突入部の厚さを定めておくと、ブラケットの係合突片の突入によって係合突入部を弾性変形させ、その反発力によってブラケットの係合突片を強固に固定することができる。
【図面の簡単な説明】
【図１】本発明の化粧部材の一実施形態を備えたラックの斜視図である。
【図２】ラックの中空支柱と、本発明の化粧部材とブラケットとを分解して示す部分拡大斜視図である。
【図３】中空支柱に組み付けた状態の化粧部材の拡大横断面図である。
【図４】化粧部材の部分正面図である。
【図５】化粧部材の部分左側面図である。
【図６】化粧部材の部分背面図である。
【図７】化粧部材の平面図である。
【図８】ローパーティションの中空支柱にブラケットを取り付ける従来構造の部分斜視図である。
【図９】ブラケットを取り付けるラックの化粧部材付き中空支柱の従来構造の部分斜視図である。
【符号の説明】
(Ａ)ラック
(１)パイプ状支柱
(1a)前面（ブラケット装着面）
(２)ブラケット
(2a)係合突片
(３)(４)ローパーティション
(５)スリット
(６)(７)化粧部材
(８)キャスター
(９)脚
(10)棚板
(11)化粧部材
(12)(13)長尺化粧片
(14)(15)係合突入部
(16)間隙
(17)接続部
(18)空間
(19)(20)楔状の突起
【図１】
0004319276.tif 000002
【図２】
0004319276.tif 000003
【図３】
0004319276.tif 000004
【図４】
0004319276.tif 000005
【図５】
0004319276.tif 000006
【図６】
0004319276.tif 000007
【図７】
0004319276.tif 000008
【図８】
0004319276.tif 000009
【図９】
0004319276.tif 000010